(57)【要約】【課題】ドアが回転して開いていく過程で、一旦ドアの回転が止まるようにさせること。【解決手段】ドア９の第２ストッパー１１と、下部支持部材に形成された第２ストッパー１１の当たり部にて構成されることで、ドアを回転させて開けるとき、第２ストッパー１１がストッパー当たり部１２に当接されるまでドア９が開く過程において、第２ストッパー１１と第２ストッパーの当たり部１２が同一位置にきて、一旦ドア９の回転が止まるようにするものである。【選択図】図４
2006064241.tif 000002
【特許請求の範囲】
【請求項１】
冷蔵庫本体と、この本体前面に位置する貯蔵した食品を取り出すための回転式ドアと、このドアの上下に冷蔵庫本体にドアを支持するための上部支持部材と、下部支持部材と、下部支持部材にはドアを回転自在に開閉するための円筒形のピン部と、ドアにはこのピン部が挿入される円筒形の凹形状のスリーブ部と、ドアを回転したときに一定の角度でドアが止まるようドアに形成されたストッパー部と、下部支持部材にはこのストッパー部の当たり面となるストッパーの当たり部と、ドアのスリーブ部近傍に形成させた第２ストッパーと、下部支持部材に形成された第２ストッパーの当たり部にて構成され、ドアを回転させて開けるとき、ストッパー部がストッパー当たり部に当接されるまでドアが開く過程において、第２ストッパーと第２ストッパーの当たり部が同一位置にきて、一旦ドアの回転が止まるようにしたことを特徴とする冷蔵庫ドアのストッパー構造。
【請求項２】
ドアには、スリーブ部と第２ストッパーの機能をもったスリーブ部材で構成され、下部支持部材は第２ストッパーの当たり部の機能をもったリング部材で構成されたことを特徴とした請求項１の冷蔵庫ドアのストッパー構造。
【請求項３】
前記リング部材は下部支持部材に対して回転しないようリング固定形状Ａを設けたことを特徴とする請求項２の冷蔵庫ドアのストッパー構造。
【請求項４】
前記スリーブ部材はドアに対して回転しないようにスリーブ固定形状Ｂを設けたことを特徴とする請求項２の冷蔵庫ドアのストッパー構造。
【請求項５】
ドアの第２ストッパーと下部支持部材の第２ストッパーの当たり部がドア回転時に一致していないときに発生するドア回転時のスキより、ドアの高さと上部支持部材と下部支持部材の上下支持部材の間隔に余裕を持たせたことを特徴とする請求項１の冷蔵庫ドアのストッパー構造。
【発明の詳細な説明】
【技術分野】
【０００１】
本発明は、冷蔵庫ドアのストッパー構造に関するものである。
【背景技術】
【０００２】
従来、冷蔵庫のドアには開放角度を制限するストッパーが備えられている（例えば、実用新案文献１参照）。
【０００３】
図５、６は、特許文献１に記載された従来の冷蔵庫ドアのストッパー構造を示すものである。
【０００４】
上記構成において、動作を説明する。冷蔵庫本体１と、この本体前面に回転式ドア２と、このドアの上下に冷蔵庫本体にドアを支持するための上部支持部材３と、下部支持部材４と、ドアを開ける回転の中心となるピン部５と、ドアにはこのピン部が挿入されるスリーブ部６と、ドアを回転したときに一定の角度でドアが止まるようドアに形成されたストッパー部７と、下部支持部材にはこのストッパー部の当たり面となるストッパーの当たり部８で構成される。
【特許文献１】実開昭５６−５７３５９号公報
【発明の開示】
【発明が解決しようとする課題】
【０００５】
しかしながら、上記従来の構成では、冷蔵庫内の食品の出し入れで、食品の大きさや量の違いにより、ドアの開放角度を大きくしなくてもよいのに開き過ぎたり、冷蔵庫の設置が傾いているときなど、ドアを開けていても、ドアが自重でしまってくることもあり、食品を収納するときに、使い勝手が悪いという課題を有していた。
【０００６】
本発明は、上記従来の課題を解決するもので、ドアが回転して開いていく過程で、一旦ドアの回転が止まるようにした冷蔵庫ドアのストッパー構造を提供することを目的とする。
【課題を解決するための手段】
【０００７】
上記従来の課題を解決するために、本発明の冷蔵庫ドアのストッパー構造は、冷蔵庫本体と、この本体前面に位置する貯蔵した食品を取り出すための回転式ドアと、このドアの上下に冷蔵庫本体にドアを支持するための上部支持部材と、下部支持部材と、下部支持部材にはドアを回転自在に開閉するための円筒形のピン部と、ドアにはこのピン部が挿入される円筒形の凹形状のスリーブ部と、ドアを回転したときに一定の角度でドアが止まるようドアに形成されたストッパー部と、下部支持部材にはこのストッパー部の当たり面となるストッパーの当たり部と、ドアのスリーブ部近傍に形成させた第２ストッパーと、下部支持部材に形成された第２ストッパーの当たり部にて構成されるようにしたものである。
【０００８】
これによって、ドアを回転させて開けるとき、ストッパー部がストッパー当たり部に当接されるまでドアが開く過程において、第２ストッパーと第２ストッパーの当たり部が同一位置にきて、一旦ドアの回転が止まるようになる。
【発明の効果】
【０００９】
本発明の冷蔵庫ドアのストッパー構造は、ドアの第２ストッパーと、下部支持部材に形成された第２ストッパーの当たり部にて構成されることで、ドアを回転させて開けるとき、ストッパー部がストッパー当たり部に当接されるまでドアが開く過程において、第２ストッパーと第２ストッパーの当たり部が同一位置にきて、一旦ドアの回転が止まるようになるので使い勝手が向上する。
【発明を実施するための最良の形態】
【００１０】
請求項１に記載の発明は、冷蔵庫本体と、この本体前面に位置する貯蔵した食品を取り出すための回転式ドアと、このドアの上下に冷蔵庫本体にドアを支持するための上部支持部材と、下部支持部材と、下部支持部材にはドアを回転自在に開閉するための円筒形のピン部と、ドアにはこのピン部が挿入される円筒形の凹形状のスリーブ部と、ドアを回転したときに一定の角度でドアが止まるようドアに形成されたストッパー部と、下部支持部材にはこのストッパー部の当たり面となるストッパーの当たり部と、ドアのスリーブ部近傍に形成させた第２ストッパーと、下部支持部材に形成された第２ストッパーの当たり部にて構成されることにより、ドアを回転させて開けるとき、ストッパー部がストッパー当たり部に当接されるまでドアが開く過程において、第２ストッパーと第２ストッパーの当たり部が同一位置にきて、一旦ドアの回転が止まるようになる。
【００１１】
請求項２に記載の発明は、ドアには、スリーブ部と第２ストッパーの機能をもったスリーブ部材で構成され、下部支持部材は第２ストッパーの当たり部の機能をもったリング部材で構成されることにより、ドアや冷蔵庫の種類が違うものであっても、同じスリーブ部材やリング部材を使うことによって同じ機能を持たせることができるようになる。
【００１２】
請求項３に記載の発明は、前記リング部材は下部支持部材に対して回転しないようリング固定形状Ａを設けることにより、ドアの第２ストッパーと下部支持部材の第２ストッパーの当たり部でドアが固定されるときの位置を精度よく出せることになる。
【００１３】
請求項４に記載の発明は、前記スリーブ部材はドアに対して回転しないようにスリーブ固定形状Ｂを設けることにより、ドアの第２ストッパーと下部支持部材の第２ストッパーの当たり部でドアが固定されるときの位置を精度よく出せることになる。
【００１４】
請求項５に記載の発明は、ドアの第２ストッパーと下部支持部材の第２ストッパーの当たり部がドア回転時に一致していないときに発生するドア回転時のスキより、ドアの高さと上部支持部材と下部支持部材の上下支持部材の間隔に余裕を持たせることにより、ドアの第２ストッパーと下部支持部材の第２ストッパーの当たり部がドア回転時に一致していないときに発生するドア回転時のスキにより、ドアの回転を阻害することがないようになる。
【００１５】
以下、本発明の実施の形態について、図面を参照しながら説明する。なお、この実施の形態によってこの発明が限定されるものではない。
【００１６】
（実施の形態１）
図１は、本発明の実施の形態１における冷蔵庫の全体図を示すものである。図２は、本発明の実施の形態１における冷蔵庫ドアの下部指示部材を示すものである。図３は、本発明の実施の形態１における冷蔵庫ドアのスリーブ部を示すものである。図４は、本発明の実施の形態１におけるスリーブ部材とリング部材の詳細図を示すものである。
【００１７】
図１において、１は冷蔵庫本体である。この本体前面にドア９と、このドア９の上下に冷蔵庫本体１にドア９を支持するための上部支持部材３と、下部支持部材１０により構成される。このときドアの高さ１８はＢと上部支持部材３と下部支持部材１０の上下支持部材の間隔１９はＣとする。
【００１８】
図２、３、４において、下部支持部材１０にはピン部５とストッパーの当たり部８がある。ドア９にはこのピン部５が挿入される円筒形の凹形状のスリーブ部６と、ドア９を回転したときに一定の角度でドア９が止まるようドア９に形成されたストッパー部７と、第２ストッパー１１からなり、下部支持部材１０は、第２ストッパーの当たり部１２を形成する。また、スリーブ部６には、第２ストッパー１１の機能をもったスリーブ部材１３で構成され、下部支持部材１０は、第２ストッパーの当たり部１２の機能をもったリング部材１４で構成されることにより、リング部材１４は下部支持部材１０に対して回転しないようリング固定形状Ａ１５を、スリーブ部材１３はドア９に対して回転しないようにスリーブ固定形状Ｂ１６を設けている。第２ストッパー１１と下部支持部材１０の第２ストッパーの当たり部１２がドア９回転時に一致していないときに発生するドア回転時のスキ１７をＡとする。
【００１９】
以上のように構成された冷蔵庫ドアのストッパー構造について、以下その動作、作用を説明する。
【００２０】
まず、冷蔵庫本体１と、この本体前面に位置する貯蔵した食品を取り出すための回転式ドア９と、このドア９の上下に冷蔵庫本体１にドア９を支持するための上部支持部材３と、下部支持部材１０と、下部支持部材１０にはドア９を回転自在に開閉するための円筒形のピン部５と、ドア９にはこのピン部５が挿入される円筒形の凹形状のスリーブ部６と、ドア９を回転したときに一定の角度でドア９が止まるようドア９に形成されたストッパー部７と、下部支持部材１０にはこのストッパー部７の当たり面となるストッパーの当たり部８と、ドア９のスリーブ部６近傍に形成させた第２ストッパー１１と、下部支持部材１０に形成された第２ストッパーの当たり部１２にて構成されることにより、ドア９を回転させて開けるとき、ストッパー部７がストッパー当たり部８に当接されるまでドア９が開く過程において、第２ストッパー１１と第２ストッパーの当たり部１２が同一位置にきて、一旦ドア９の回転が止まるようになる。
【００２１】
また、ドア９には、スリーブ部６と第２ストッパー１１の機能をもったスリーブ部材１３で構成され、下部支持部材１０は第２ストッパーの当たり部１２の機能をもったリング部材１４で構成されることにより、ドア９や冷蔵庫の種類が違うものであっても、同じスリーブ部材１３やリング部材１４を使うことによって同じ機能を持たせることができる。
【００２２】
また、リング部材１４は下部支持部材１０に対して回転しないようリング固定形状Ａ１５を設けることにより、ドア９の第２ストッパー１１と下部支持部材１０の第２ストッパーの当たり部１２でドア９が固定されるときの位置を精度よく出せることになる。
【００２３】
また、スリーブ部材１３はドアに対して回転しないようにスリーブ固定形状Ｂ１６を設けることにより、ドア９の第２ストッパー１１と下部支持部材１０の第２ストッパー１１の当たり部でドア９が固定されるときの位置を精度よく出せることになる。
【００２４】
また、ドア９の第２ストッパー１１と下部支持部材１０の第２ストッパーの当たり部１２がドア９回転時に一致していないときに発生するドア回転時のスキ１７より、ドアの高さ１８と上部支持部材３と下部支持部材１０の上下支持部材の間隔１９に余裕を持たせる（Ｃ−Ｂ＞Ａ）ことにより、ドア９の第２ストッパー１１と下部支持部材１０の第２ストッパー１２の当たり部がドア９回転時に一致していないときに発生するドア回転時のスキ１７により、ドア９の回転を阻害することがないようになる。
【産業上の利用可能性】
【００２５】
以上のように、本発明にかかる冷蔵庫は、ドアの第２ストッパーと、下部支持部材に形成された第２ストッパーの当たり部にて構成されることで、ドアを回転させて開けるとき、ストッパーがストッパー当たり部に当接されるまでドアが開く過程において、第２ストッパーと第２ストッパーの当たり部が同一位置にきて、一旦ドアの回転をとめることが可能となるので、冷温庫等のドアのストッパー構造等の用途にも適用できる。
【図面の簡単な説明】
【００２６】
【図１】本発明の実施の形態１における冷蔵庫の全体図
【図２】本発明の実施の形態１における冷蔵庫ドアの下部指示部材を示す図
【図３】本発明の実施の形態１における冷蔵庫ドアのスリーブ部を示す図
【図４】本発明の実施の形態１におけるスリーブ部材とリング部材の詳細図
【図５】従来の冷蔵庫の全体図
【図６】従来の冷蔵庫ドアのストッパー構造の詳細図
【符号の説明】
【００２７】
９    ドア
１０    下部支持部材
１１    第２ストッパー
１２    第２ストッパーの当たり部
１３    スリーブ部材
１４    リング部材
１５    リング固定形状Ａ
１６    スリーブ固定形状Ｂ
１７    ドア回転時のスキ
１８    ドアの高さ
１９    上下支持部材の間隔
【図１】
2006064241.tif 000003
【図２】
2006064241.tif 000004
【図３】
2006064241.tif 000005
【図４】
2006064241.tif 000006
【図５】
2006064241.tif 000007
【図６】
2006064241.tif 000008